(57)【要約】【課題】画像読取装置において、高さ寸法を小さくして、薄型化を図る。【解決手段】画像読取装置１は、原稿が載置される原稿台２と、受光デバイス４と、結像レンズ５と、画像走査用ミラー６と、光路長調整用ミラー７、８と、光路屈曲用ミラー９等を備える。画像走査用ミラー６は、原稿の画像を走査するために移動し、原稿からの光を反射する。光路長調整用ミラー７、８は、画像走査用ミラー６から受光デバイス４までの光路長を一定に保つために移動し、画像走査用ミラー６により反射された原稿からの光を反射する。光路屈曲用ミラー９は、光路長調整用ミラー８により反射された原稿からの光を反射し、結像レンズ５は、光路屈曲用ミラー９により反射された原稿からの光を受光して、原稿の画像を受光デバイス４上に結像させる。受光デバイス４は、結像レンズ５を介して原稿からの光を受光することにより、原稿の画像を光学的に読取る。【選択図】図２
2008283627.tif 000002
【特許請求の範囲】
【請求項１】
原稿が載置される原稿台と、光を受光して受光レベルに応じた受光出力信号を出力する受光デバイスと、前記原稿台に戴置される原稿の画像を前記受光デバイス上に結像させるための結像レンズとを備え、前記原稿台に戴置される原稿からの光を前記結像レンズを介して前記受光デバイスにより受光することによって、原稿の画像を光学的に読取る画像読取装置において、
原稿からの光を反射して前記結像レンズに導く反射手段をさらに備え、
前記反射手段は、
原稿の画像を走査するために前記原稿台に沿って移動自在に支持され、原稿からの光を前記原稿台と平行な方向に反射する画像走査用反射手段と、
前記画像走査用反射手段から前記受光デバイスまでの光路長を一定に保つために前記原稿台に沿って移動自在に支持され、前記画像走査用反射手段により反射された原稿からの光を折り返して前記原稿台と平行な方向に反射する光路長調整用反射手段とを有する、
ことを特徴とする画像読取装置。
【請求項２】
前記受光デバイス、結像レンズ、及び反射手段を収納する筺体をさらに備え、
前記受光デバイス及び結像レンズは、前記筐体に固定されている、
ことを特徴とする請求項１に記載の画像読取装置。
【請求項３】
前記受光デバイス及び結像レンズは、前記筺体内における前記原稿台の下方以外の位置に配置されている、
ことを特徴とする請求項２に記載の画像読取装置。
【請求項４】
前記結像レンズは、該結像レンズを構成するレンズ群の部分的移動により、前記受光デバイス上に結像させる画像の倍率を変更可能なズームレンズである、
ことを特徴とする請求項３に記載の画像読取装置。
【発明の詳細な説明】
【技術分野】
【０００１】
本発明は、原稿に描かれた画像を読取る画像読取装置に関するものである。
【背景技術】
【０００２】
従来から、例えばスキャナやコピー機等の画像読取装置において、原稿台に載置される原稿からの光を反射手段により反射して結像レンズに導き、結像レンズにより原稿の画像を受光デバイス上に結像させて、受光デバイスにより原稿の画像を光学的に読取るようにしたものがある。このような画像読取装置は、一般的に、反射手段、結像レンズ、及び受光デバイスを筺体内に収納しており、筺体内において、反射手段を原稿台に沿って移動させることにより、原稿台に載置された原稿上における異なる領域からの光を反射して（すなわち原稿の画像を走査して）、原稿全体の画像を読取るようになっている。また、このような画像読取装置は、一般的に、反射手段を移動させて原稿の画像を走査するときに、原稿から結像レンズ及び受光デバイスまでの距離を一定に保つために、結像レンズ及び受光デバイスを反射手段と一体的に移動させるようになっている（例えば特許文献１参照）。
【０００３】
一方、画像を反射手段と結像レンズを介して受光デバイス上に結像させ、受光デバイスにより画像を読取る画像読取装置において、受光デバイスで検出された電気信号からコントラストを検出して、反射手段及び／又は結像レンズを駆動することによりピントを調整するようにしたものや（例えば特許文献２参照）、結像レンズと受光デバイスを一体的に移動させて、受光デバイス上に結像させる画像の倍率を調整するようにしたものが知られている（例えば特許文献３参照）。また、負屈折力の第１レンズ群と正屈折力の第２レンズ群とを有し、第１レンズ群と第２レンズ群との間隔が変化することにより、レンズ群全体の焦点距離が変化するようにした画像読取用ズームレンズが知られている（例えば特許文献４参照）。
【特許文献１】特開平１０−２３３８９６号公報
【特許文献２】特開平１０−３３６４０２号公報
【特許文献３】特開平９−２３３２７１号公報
【特許文献４】特開平９−１１３８０４号公報
【発明の開示】
【発明が解決しようとする課題】
【０００４】
ところが、上述した特許文献１に記載の画像読取装置においては、結像レンズ及び受光デバイスを反射手段と一体的に移動させる構成であるため、結像レンズ及び受光デバイスの移動範囲（すなわち配置箇所）が筺体により制約を受けてしまう。このため、反射手段により画像を走査している原稿上の領域から結像レンズ及び受光デバイスまでの距離を、反射手段の移動方向（結像レンズ及び受光デバイスの移動方向でもある）において長く設定することができない。従って、原稿の画像を受光デバイス上に結像させるために必要な光路長を得るのに、原稿からの光を反射手段により何回も折り返して反射させて結像レンズに導く必要がある。つまり、原稿から結像レンズ及び受光デバイスに至る光路を、何回も折り返して、画像読取装置の高さ方向に何重にも重なるように形成する必要がある。その結果、原稿からの光を反射手段により何回も折り返す分だけ、画像読取装置の高さ寸法が大きくなる。なお、上述した特許文献２乃至特許文献４に開示の内容を適用したとしても、上記の問題を解決することはできない。
【０００５】
本発明は、上記課題を解決するためになされたものであり、高さ寸法を小さくして、薄型化を図ることができる画像読取装置を提供することを目的とする。
【課題を解決するための手段】
【０００６】
上記目的を達成するために請求項１の発明は、原稿が載置される原稿台と、光を受光して受光レベルに応じた受光出力信号を出力する受光デバイスと、原稿台に戴置される原稿の画像を受光デバイス上に結像させるための結像レンズとを備え、原稿台に戴置される原稿からの光を結像レンズを介して受光デバイスにより受光することによって、原稿の画像を光学的に読取る画像読取装置において、原稿からの光を反射して結像レンズに導く反射手段をさらに備え、反射手段は、原稿の画像を走査するために原稿台に沿って移動自在に支持され、原稿からの光を原稿台と平行な方向に反射する画像走査用反射手段と、画像走査用反射手段から受光デバイスまでの光路長を一定に保つために原稿台に沿って移動自在に支持され、画像走査用反射手段により反射された原稿からの光を折り返して原稿台と平行な方向に反射する光路長調整用反射手段とを有するものである。
【０００７】
請求項２の発明は、請求項１に記載の画像読取装置において、受光デバイス、結像レンズ、及び反射手段を収納する筺体をさらに備え、受光デバイス及び結像レンズは、筐体に固定されているものである。
【０００８】
請求項３の発明は、請求項２に記載の画像読取装置において、受光デバイス及び結像レンズは、筺体内における原稿台の下方以外の位置に配置されているものである。
【０００９】
請求項４の発明は、請求項３に記載の画像読取装置において、結像レンズは、該結像レンズを構成するレンズ群の部分的移動により、受光デバイス上に結像させる画像の倍率を変更可能なズームレンズであるものである。
【発明の効果】
【００１０】
請求項１の発明によれば、画像走査用反射手段を移動させて原稿の画像を走査するとき、光路長調整用反射手段を移動させることにより、画像走査用反射手段から結像レンズ及び受光デバイスまでの光路長を一定に保つことができ、画像走査用反射手段から結像レンズ及び受光デバイスまでの光路長を一定に保つために結像レンズ及び受光デバイスを移動させる必要がない。そして、結像レンズ及び受光デバイスを移動させる必要がないため、結像レンズ及び受光デバイスの配置箇所が、従来のように結像レンズ及び受光デバイスを移動させる構成であることによる制約を受けることがない。従って、光路長調整用反射手段の移動方向における光路長調整用反射手段から結像レンズ及び受光デバイスまでの距離を長く設定することが可能となり、従来のように結像レンズ及び受光デバイスを反射手段と一体的に移動させる構成と比較して、反射手段による少ない反射回数で、原稿の画像を受光デバイス上に結像させるために必要な光路長を得ることが可能となる。その結果、反射手段による反射回数が少ない分だけ、画像読取装置の高さ寸法を小さくすることができ、画像読取装置の薄型化を図ることができる。
【００１１】
請求項２の発明によれば、受光デバイス及び結像レンズが筐体に固定されているため、従来のように受光デバイス及び結像レンズが移動する構成と比較して、受光デバイス及び結像レンズの位置精度が良くなり、良質な画像を得ることができる。
【００１２】
請求項３の発明によれば、受光デバイス及び結像レンズが筺体内における原稿台の下方以外の位置に配置されているため、画像走査用反射手段による画像の走査のために利用されない空間を、受光デバイス及び結像レンズを配置するための空間として有効に利用することができ、より一層、薄型化を図ることができる。
【００１３】
請求項４の発明によれば、ズームレンズ用いて光学的に読取画像の拡大、縮小を行う機能を有する画像読取装置において、薄型化を図ることができると共に、良質な画像を得ることができる。
【発明を実施するための最良の形態】
【００１４】
以下、本発明を具体化した実施形態による画像読取装置について図面を参照して説明する。図１、図２（ａ）（ｂ）（ｃ）は、本実施形態による画像読取装置の構成を示す。画像読取装置１は、原稿に描かれている画像を読取る装置である。また、この画像読取装置は、印刷用紙に画像を印刷する機能を有している。
【００１５】
画像読取装置１は、原稿が載置される原稿台２と、原稿を押さえるための原稿押さえ板３と、原稿の画像を読取るための受光デバイス４と、原稿の画像を受光デバイス４上に結像させるための結像レンズ５と、原稿からの光を反射して結像レンズ５に導く反射手段である画像走査用ミラー６、光路長調整用ミラー７、８、及び光路屈曲用ミラー９と、原稿に光を照射するための光源１０とを備えている。
【００１６】
また、画像読取装置１は、受光デバイス４、結像レンズ５、画像走査用ミラー６、光路長調整用ミラー７、８、光路屈曲用ミラー９、及び光源１０を収納する筺体１１と、印刷用紙が装填されるペーパレスト１２と、画像読取装置１の各種動作を指示するためのキー操作部１３等を備えている。画像走査用ミラー６により、原稿の画像を走査するための画像走査用反射手段が構成されており、光路長調整用ミラー７、８より、画像走査用ミラー６から受光デバイス４までの光路長を調整する光路長調整用反射手段が構成されている。
【００１７】
原稿台２は、透明板から成っており、筺体１１の上部に設けられている。筺体１１の上壁１１ａ（すなわち筺体１１の上部）は、略中央が開口しており、原稿台２は、筺体１１の上壁１１ａの開口部分に設けられている。原稿は、画像が描かれている面を下向きにして原稿台２に載置される。原稿押さえ板３は、筺体１１の上面に回動自在に設けられており、原稿押さえ板３を開くことにより、原稿台２に原稿を載置することができ、原稿押さえ板３を閉じることにより、原稿台２に載置された原稿を押さえることができるようになっている。
【００１８】
受光デバイス４、結像レンズ５、画像走査用ミラー６、光路長調整用ミラー７、８、光路屈曲用ミラー９、及び光源１０は、図２（ａ）（ｂ）（ｃ）に示すように、筺体１１の内部に設けられている。光源１０は、原稿台２に載置される原稿に光を照射する。画像走査用ミラー６、光路長調整用ミラー７、８、及び光路屈曲用ミラー９は、原稿からの光を反射して結像レンズ５に導く。結像レンズ５は、原稿からの光を画像走査用ミラー６、光路長調整用ミラー７、８、光路屈曲用ミラー９を介して受光して、原稿の画像を受光デバイス４上に結像させる。つまり、画像読取装置１は、原稿台２に戴置される原稿からの光を画像走査用ミラー６、光路長調整用ミラー７、８、光路屈曲用ミラー９、及び結像レンズ５を介して受光デバイス４により受光することによって、原稿の画像を光学的に読取るようになっている。受光デバイス４、結像レンズ５、画像走査用ミラー６、光路長調整用ミラー７、８、光路屈曲用ミラー９、及び光源１０の詳細については後述する。
【００１９】
ペーパレスト１２は、筺体１１の背部に設けられている。印刷用紙は、ペーパレスト１２に装填される。ペーパレスト１２に載置された印刷用紙は、不図示の用紙搬送手段により筺体１１の内部に取り込まれ、不図示の画像印刷手段により画像が印刷された後、排紙口１１ｂから筺体１１の外部に排出される。キー操作部１３は、筺体１１の上壁１１ａの上面に設けられており、画像読取装置１の各種動作を指示するためにユーザによって操作される。
【００２０】
次に、図２（ａ）（ｂ）（ｃ）を参照して、上記受光デバイス４、結像レンズ５、画像走査用ミラー６、光路長調整用ミラー７、８、光路屈曲用ミラー９、及び光源１０の構成について説明する。
【００２１】
受光デバイス４は、ＣＣＤラインセンサを用いたものであり、一方向に配列された多数の受光素子を有している。受光デバイス４は、一方向に配列された多数の受光素子により光を受光することにより、受光素子の配列方向（主走査方向）にライン状に画像を読取り、各受光素子の受光レベルに応じた（すなわち読取った画像に対応する）受光出力信号を出力するようになっている。受光デバイス４は、筺体１１の上壁１１ａの下方位置（すなわち原稿台２の下方以外の位置）に配置されており、受光面が下向きとなるように、また、受光素子の配列方向が後述する画像走査用ミラー６の移動方向と略直交するように、筺体１１に固定されている。
【００２２】
結像レンズ５は、焦点距離が可変のズームレンズであり、複数枚のレンズを有している。結像レンズ５は、結像レンズ５を構成するレンズ群の部分的移動により、焦点距離を変化させて、受光デバイス４上に結像させる画像の倍率を変更可能になっている。結像レンズ５は、受光デバイス４の下方位置（すなわち原稿台２の下方以外の位置）に配置されており、筺体１１に固定されている。
【００２３】
画像走査用ミラー６は、原稿台２に載置された原稿の画像を走査するための反射ミラーである。画像走査用ミラー６は、筺体１１の内部において、移動制御される支持体１５に支持されている。支持体１５は、ガイドレール１６に摺動自在に支持されており、ガイドレール１６は、原稿台２及び筺体１１の上壁１１ａに沿って、受光デバイス４の受光素子の配列方向と直交する方向に延びている。すなわち、画像走査用ミラー６は、支持体１５及びガイドレール１６によって移動自在に支持されており、原稿台２及び筺体１１の上壁１１ａに沿って、受光デバイス４の受光素子の配列方向と直交する方向に往復移動するようになっている。
【００２４】
画像走査用ミラー６は、ガイドレール１６の一端側に設定された所定の待機位置（図２（ａ）に示す位置）から、原稿台２の下方位置を通過して、ガイドレール１６の他端側に設定された移動終点位置（図２（ｃ）に示す位置）までの範囲で往復移動するようになっている。なお、画像走査用ミラー６の待機位置は、受光デバイス４及び結像レンズ５の配置位置の反対側における筺体１１の上壁１１ａの下方位置（すなわち原稿台２の下方以外の位置）に設定されている。
【００２５】
画像走査用ミラー６は、原稿台２に載置された原稿からの光を原稿台２と平行な方向に反射するようになっており、また、画像走査用ミラー６の移動方向と直交する方向に長くなっている。
【００２６】
光路長調整用ミラー７、８は、画像走査用ミラー６から（原稿台２に載置される原稿から）受光デバイス４までの光路長を調整するためのミラーである。光路長調整用ミラー７、８は、筺体１１の内部において、移動制御される支持体１７に支持されている。支持体１７は、ガイドレール１８に摺動自在に支持されており、ガイドレール１８は、ガイドレール１６と平行に沿って延びている。すなわち、光路長調整用ミラー７、８は、支持体１７及びガイドレール１８によって移動自在に支持されており、原稿台２及び筺体１１の上壁１１ａに沿って、受光デバイス４の受光素子の配列方向と直交する方向（すなわち画像走査用ミラー６の移動方向と同じ方向）に一緒に往復移動するようになっている。光路長調整用ミラー７は、画像走査用ミラー６と同じ高さ位置を移動するようになっている。
【００２７】
光路長調整用ミラー７、８は、ガイドレール１８の一端側に設定された所定の待機位置（図２（ａ）に示す位置）から、原稿台２の下方における移動終点位置（図２（ｃ）に示す位置）までの範囲で往復移動するようになっている。なお、光路長調整用ミラー７、８の待機位置は、画像走査用ミラー６の待機位置と同様に、受光デバイス４及び結像レンズ５の配置位置の反対側における筺体１１の上壁１１ａの下方位置（すなわち原稿台２の下方以外の位置）に設定されている。すなわち、光路長調整用ミラー７、８と受光デバイス４及び結像レンズ５との距離は、光路長調整用ミラー７、８の移動方向において、可能な限り長く設定されている。
【００２８】
光路長調整用ミラー７は、画像走査用ミラー６により反射された原稿からの光を下方向（原稿台２と垂直な方向）に反射するようになっており、光路長調整用ミラー８は、光路長調整用ミラー７により反射された原稿からの光を、画像走査用ミラー６により反射された原稿からの光の進行方向と逆方向（原稿台２と平行な方向）に反射するようになっている。つまり、光路長調整用ミラー７、８は、画像走査用ミラー６により反射された原稿からの光を折り返して原稿台２と平行な方向に反射するようになっている。また、光路長調整用ミラー７、８は、光路長調整用ミラー７、８の移動方向と直交する方向に長くなっている。
【００２９】
光路屈曲用ミラー９は、光路長調整用ミラー８から結像レンズ５に至る光路を屈曲させるためのミラーである。光路屈曲用ミラー９は、筺体１１の内部において、筺体１１に固定されている。光路屈曲用ミラー９は、光路長調整用ミラー８と同じ高さ位置であって、結像レンズ５の下方位置（すなわち原稿台２の下方以外の位置）に配置されている。
【００３０】
光路屈曲用ミラー９は、光路長調整用ミラー８により反射された原稿からの光を上方向（原稿台２と垂直な方向）に反射するようになっており、また、光路長調整用ミラー７、８の移動方向と直交する方向に長くなっている。光路屈曲用ミラー９により反射された原稿からの光は、結像レンズ５に入射し、結像レンズ５を介して受光デバイス４に受光される。
【００３１】
光源１０は、支持体１５に支持されている。従って、光源１０は、画像走査用ミラー６と一緒に移動するようになっている。光源１０は、冷陰極管ランプであり、点灯、消灯制御されるようになっており、点灯されることにより光を出射する。光源１０から出射された光は、画像走査用ミラー６が筐体１１の上壁１１ａの下方に位置しているときは筺体１１の上壁１１ａの下面付近（画像走査用ミラー６が原稿台２の下方に位置しているときは原稿台２の上面付近）に照射される。
【００３２】
このような構成により、原稿台２に載置された原稿からの光は、画像走査用ミラー６、光路長調整用ミラー７、８、及び光路屈曲用ミラー９により反射されて結像レンズ５に入射し、結像レンズ５を介して受光デバイス４に受光される。そして、画像走査用ミラー６を移動させることにより、画像走査用ミラー６の移動方向における原稿上の異なる領域からの光を受光デバイス４に受光させることができる。つまり、画像走査用ミラー６を移動させることにより、原稿面を副走査方向（受光デバイス４の受光素子の配列方向（主走査方向）に直交する方向）に走査することができる。また、光路長調整用ミラー７、８を移動させることにより、原稿上の同じ領域からの光を受光デバイス４に受光させつつ、画像走査用ミラー６から受光デバイス４までの光路長を調整することができる。
【００３３】
図３は、画像読取装置１の電気的ブロック構成を示す。画像読取装置１は、上述の構成に加え、画像読取装置１の動作を制御するためのＣＰＵ、ＲＯＭ、及びＲＡＭ等を含む制御部２１と、スキャン駆動機構２２と、光学ズーム機構２３と、画像処理部２４と、メモリ２５と、外部機器接続部２６等を備える。制御部２１のＲＯＭ内には、画像読取装置１の動作を制御するためのファームウェアや各種データが記憶されている。
【００３４】
スキャン駆動機構２２は、支持体１５、及び支持体１７を移動させるモータ、ギア等を有しており、制御部２１による制御のもと、モータを回転駆動することにより、ギア等を介して支持体１５、及び支持体１７を移動させて、支持体１５に支持されている画像走査用ミラー６、及び支持体１７に支持されている光路長調整用ミラー７、８を副走査方向に移動させる。スキャン駆動機構２２は、画像走査用ミラー６の移動に連動して光路長調整用ミラー７、８を移動させるようになっており、光路長調整用ミラー７、８を画像走査用ミラー６の移動方向と同じ方向に画像走査用ミラー６の半分の移動量で移動させる。
【００３５】
光学ズーム機構２３は、結像レンズ５を構成するレンズ群を部分的に移動させるアクチュエータ等を有しており、制御部２１による制御のもと、アクチュエータを駆動することにより、結像レンズ５を構成するレンズ群を部分的に移動させて、受光デバイス４上に結像させる画像を拡大、縮小する。
【００３６】
画像処理部２４は、制御部２１による制御のもと、受光デバイス４の受光出力信号を基に、受光デバイス４により読取った画像に対応する画像データを生成する。メモリ２５は、制御部２１による制御のもと、画像処理部２４により生成された画像データ（受光デバイス４により読取った画像の画像データ）等を記憶する。外部機器接続部２６は、制御部２１による制御のもと、パーソナルコンピュータ等の外部機器との間で各種信号の送受信を行う。
【００３７】
制御部２１は、キー操作部１３の操作を受けて、画像読取装置１の電源投入動作、原稿から画像を読取る原稿画像読取動作、原稿画像読取動作における画像読取倍率の設定、印刷用紙に画像を印刷する印刷動作等、画像読取装置１の各種動作を制御する。
【００３８】
原稿画像読取動作は、制御部２１による制御のもと、以下のようにして行われる。すなわち、キー操作部１３の操作により画像の読取り指示がなされると、光源１０を点灯させると共に、スキャン駆動機構２２により画像走査用ミラー６及び光路長調整用ミラー７、８を副走査方向に移動させながら、受光デバイス４により所定の周期で主走査方向にライン状に画像を読取る。
【００３９】
光源１０が点灯することにより、光源１０から出射された光が原稿台２に載置された原稿に照射され、原稿からの反射光が画像走査用ミラー６、光路長調整用ミラー７、８、光路屈曲用ミラー９により反射されて結像レンズ５に入射して、原稿の画像が結像レンズ５により受光デバイス４上に結像される。
【００４０】
また、画像走査用ミラー６が原稿台２の下方位置を副走査方向に移動することにより、原稿台２に載置された原稿の副走査方向における異なる領域からの光が画像走査用ミラー６により反射されて結像レンズ５に入射する。光路長調整用ミラー７、８は、上述のように、画像走査用ミラー６の移動に連動して、画像走査用ミラー６の移動方向と同じ方向に画像走査用ミラー６の半分の移動量で移動するようになっている。従って、画像走査用ミラー６が原稿台２の下方位置を副走査方向に移動している間、画像走査用ミラー６から受光デバイス４までの光路長が一定に保たれ、原稿の副走査方向における異なる領域の画像が受光デバイス４上に結像される。
【００４１】
そして、このように画像走査用ミラー６を副走査方向に移動させながら、所定の周期で受光デバイス４により主走査方向にライン状に画像を読取ることにより、原稿の副走査方向における異なる領域の画像が主走査方向に読取られて、原稿全体の画像が読取られる。制御部２１は、このようにして、原稿画像読取動作を実行する。
【００４２】
また、原稿画像読取動作における画像読取倍率の設定は、制御部２１による制御のもと、以下のようにして行われる。すなわち、キー操作部１３の操作により画像読取倍率の設定指示がなされると、指示された画像読取倍率となるように、光学ズーム機構２３により結像レンズ５を構成するレンズ群を部分的に移動させて、受光デバイス４上に結像させる画像を拡大、縮小することにより、画像読取倍率を設定する。受光デバイス４上に結像される画像が拡大、縮小されることにより、拡大、縮小された画像が受光デバイス４により読取られる。これにより、原稿画像読取動作において、設定された画像読取倍率で原稿の画像が読取られる。
【００４３】
このような構成の画像読取装置１によれば、画像走査用ミラー６を移動させて原稿の画像を走査するとき、光路長調整用ミラー７、８を移動させることにより、画像走査用ミラー６から結像レンズ５及び受光デバイス４までの光路長が一定に保たれる。このため、結像レンズ５及び受光デバイス４の配置箇所が、従来のように結像レンズ及び受光デバイスを移動させる構成であることによる制約を受けることがない。
【００４４】
従って、光路長調整用ミラー７、８の移動方向における光路長調整用ミラー７、８から結像レンズ５及び受光デバイス４までの距離を長く設定することが可能となり、従来のように結像レンズ及び受光デバイスを反射手段と一体的に移動させる構成と比較して、少ない反射回数で、原稿の画像を受光デバイス４上に結像させるために必要な光路長を得ることが可能となる。その結果、反射回数が少ない分だけ、画像読取装置１の高さ寸法を小さくすることができ、画像読取装置１の薄型化を図ることができる。
【００４５】
しかも、受光デバイス４及び結像レンズ５が筐体１１に固定されているため、従来のように受光デバイス及び結像レンズが移動する構成と比較して、受光デバイス４及び結像レンズ５の位置精度が良くなり、良質な画像を得ることができる。さらに、受光デバイス４及び結像レンズ５が筺体１１内における原稿台２の下方以外の位置に配置されているため、画像走査用ミラー６による画像の走査のために利用されない空間を、受光デバイス４及び結像レンズ５を配置するための空間として有効に利用することができ、より一層、薄型化を図ることができる。また、結像レンズ５（ズームレンズ）を用いて光学的に読取画像の拡大、縮小を行う機能を有する画像読取装置１において、薄型化を図ることができると共に、良質な画像を得ることができる。
【００４６】
なお、本発明は、上記実施形態の構成に限られず、種々の変形が可能である。例えば、光路屈曲用ミラーにより光路調整用ミラーからの光を下方に向けて反射するようにし、結像レンズを光路屈曲用ミラーの下方位置に配置すると共に、受光デバイスを受光面を上向きにして結像レンズの下方位置に配置してもよい。また、光路屈曲用ミラーは、必ずしも設ける必要はなく、結像レンズ及び受光デバイスを光軸を横向きにして光路調整用ミラーの反射光路上に配置してもよい。画像走査用ミラーと光路長調整用ミラーは、別々のモータによって移動制御されてもよいし、１つの同じモータにより移動制御されてもよい。画像読取装置の薄型化のためには、画像走査用ミラー及び光路長調整用ミラーを原稿台に近い位置に配置するのが望ましく、また、光路長調整用ミラーの一方と他方との間隔を短くするのが望ましい。
【図面の簡単な説明】
【００４７】
【図１】本発明の一実施形態に係る画像読取装置の概略構成を示す斜視図。
【図２】（ａ）は同画像読取装置の画像走査用ミラーが待機位置にあるときの側断面図、（ｂ）は画像走査用ミラーが原稿台の下方位置にあるときの側断面図、（ｃ）は同画像走査用ミラーが移動終点位置にあるときの側断面図。
【図３】同画像読取装置の電気的ブロック構成図。
【符号の説明】
【００４８】
１    画像読取装置
２    原稿台
３    原稿押さえ板
４    受光デバイス
５    結像レンズ
６    画像走査用ミラー
７、８    光路長調整用ミラー
９    光路屈曲用ミラー
１０    光源
１１    筺体
１１ａ    上壁
１１ｂ    排紙口
１２    ペーパレスト
１３    キー操作部
１５    支持体
１６    ガイドレール
１７    支持体
１８    ガイドレール
２１    制御部
２２    スキャン駆動機構
２３    光学ズーム機構
２４    画像処理部
２５    メモリ
２６    外部機器接続部
【図１】
2008283627.tif 000003
【図２】
2008283627.tif 000004
【図３】
2008283627.tif 000005